(57)【要約】【課題】快適な装着感を提供するサイクリング用ヘルメットのためのサイズアジャスタを提供する。【解決手段】サイクリング用ヘルメットの内側に固定的に連結できる形式のサイクリング用ヘルメットのためのサイズアジャスタ（10）であって、サイズアジャスタは、ヘルメットの下側周囲に沿って配置された環状構造体（11）を有し、この環状構造体は、ヘルメットをサイズの異なるユーザが着用できるよう最小直径形態と複数の増大直径形態との間で切換え可能であり、サイズアジャスタには、環状構造体（11）の形態の手動切換え装置（12）が設けられている、サイズアジャスタにおいて、サイズアジャスタは、少なくとも１本の軸線に沿って自由に差し向けることができる仕方で環状構造体に連結されたユーザ用ヘッドレスト要素（13）を有する、サイズアジャスタ。【選択図】図１
2015021217.tif 000002
【特許請求の範囲】
【請求項１】
サイクリング用ヘルメットの内側に固定的に連結できる形式のサイクリング用ヘルメットのためのサイズアジャスタ（１０）であって、前記サイズアジャスタは、前記ヘルメットの下側周囲に沿って配置された環状構造体（１１）を有し、前記環状構造体は、前記ヘルメットをサイズの異なるユーザが着用できるよう最小直径形態と複数の増大直径形態との間で切換え可能であり、前記サイズアジャスタには、前記環状構造体（１１）の前記形態の手動切換え装置（１２）が設けられている、サイズアジャスタにおいて、前記サイズアジャスタは、少なくとも１本の軸線に沿って自由に差し向けることができる仕方で前記環状構造体（１１）に連結されたユーザ用ヘッドレスト要素（１３）を有する、サイズアジャスタ。
【請求項２】
前記環状構造体（１１）は、前記手動切換え装置（１２）に作用することによって中央部分（１５）に対して入れ子式に動くことができる２本のサイドアーム（１４）を有し、前記ヘッドレスト要素（１３）は、前記手動切換え装置（１２）から見て互いに異なる距離のところの複数個の位置で固定的に連結可能であるよう前記中央部分（１５）の互いに反対側の部分に沿って互いに可動的に連係している、請求項１記載のサイズアジャスタ。
【請求項３】
前記環状構造体（１１）は、前記手動切換え装置（１２）に作用することによって中央部分（１５）に対して入れ子式に動くことができる２本のサイドアーム（１４）を有し、前記ヘッドレスト要素（１３）は、前記サイドアーム（１４）に固定的に連結されている、請求項１記載のサイズアジャスタ。
【請求項４】
前記ヘッドレスト要素（１３）は、前記サイドアーム（１４）を通過する軸線に関して差し向け可能である、請求項１〜３のうちいずれか一に記載のサイズアジャスタ。
【請求項５】
前記ヘッドレスト要素（１３）は、空間中のあらゆる軸線に沿って差し向け可能である、請求項１〜４のうちいずれか一に記載のサイズアジャスタ。
【請求項６】
前記ヘッドレスト要素（１３）は、球形支持体（１６）のところで前記環状構造体（１１）に固定的に連結されている、請求項１〜５のうちいずれか一に記載のサイズアジャスタ。
【請求項７】
前記ヘッドレスト要素（１３）は、前記サイドアーム（１４）に関して互いに反対側の側部に配置された２つのローブ（１７）を有する蝶のような形をしている、請求項１〜６のうちいずれか一に記載のサイズアジャスタ。
【請求項８】
前記サイドアーム（１４）のところの前記ヘッドレスト要素（１３）の前記中央部分（１８）は、ゴムで作られ、該中央部分（１８）は、前記サイドアーム（１４）の前記軸線回りに撓み受け座を備えたている、請求項７記載のサイズアジャスタ。
【請求項９】
前記サイドアーム（１４）から見て遠くに位置する前記ヘッドレスト要素（１３）の周辺部分（１９）は、ゲルインサート（２０）を有する、請求項８記載のサイズアジャスタ。
【請求項１０】
前記ヘッドレスト要素（１３）は、交換可能である、請求項１〜９のうちいずれか一に記載のサイズアジャスタ。
【請求項１１】
前記ヘッドレスト要素（１３）は、前記環状構造体（１１）を通る前記軸線に沿って差し向け可能であり、前記ヘッドレスト要素（１３）は、前記環状構造体（１１）上に形成された円筒形受け座（１６′）内に対応関係をなして結合可能な円筒形ピン（１８′）を有する、請求項１記載のサイズアジャスタ。
【発明の詳細な説明】
【技術分野】
【０００１】
本発明は、サイクリング用ヘルメットを着用するユーザにとって快適な装着感を提供するサイクリング用ヘルメットのためのサイズアジャスタに関する。
【背景技術】
【０００２】
一般に、サイクリング用ヘルメットは、自動車又はモータサイクルで用いられるヘルメットとは非常に異なっており、通常、かかるサイクリング用ヘルメットは、ユーザの頭を少なくとも部分的に覆うように形作られると共に実質的に眼弓から項部までの頭蓋部分の頂部と側部の両方のところでの衝突からユーザの頭を保護するよう構成されたキャップ構造体から成っている。
【０００３】
種々の考えられるサイズに適合可能なかかるヘルメットを製作するため、今や、キャップと関連したサイズ調節装置又はサイズアジャスタが存在し、従って、手動操作でユーザの頭にヘルメットを締め付けることが可能であるようになっている。
【０００４】
具体的に説明すると、かかるサイズアジャスタは、閉じられているかＵ字形に開かれているかのいずれかであり、ヘルメットのキャップの下側周囲に沿って配置されると共にヘルメットをサイズの異なるユーザが着用できるよう最小直径形態と複数の増大直径形態との間で切換え可能である環状構造体を有している。かかる形態の環状構造体の手動切換え装置は、環状構造体を形成している入れ子式部分に作用することができるはめば歯車要素を有する。
【０００５】
しかしながら、不都合なこととして、手動切換え装置に作用することによってサイズが変わると、ユーザの頭に載せているヘルメットが快適ではなくなるのが常である。
【発明の概要】
【発明が解決しようとする課題】
【０００６】
現時点において提案される解決策は、環状構造体に支持部分を取り付けることであるが、これら支持部分は、支持部分が固定されるので、幾つかのサイズについて快適な支持具合を提供するに過ぎず、考えられる全ての切換え形態についてはそうではない。
【０００７】
本発明の目的は、公知のサイズアジャスタに代わるものとして、特に、サイズが変化してもユーザにとって快適な支持具合を提供するサイクリング用ヘルメットのためのサイズアジャスタを製作することにある。
【課題を解決するための手段】
【０００８】
本発明の一般的な観点によれば、本発明のサイクリング用ヘルメットのためのサイズアジャスタは、少なくとも１本の軸線、好ましくは環状構造体を通る軸線に沿って自由に差し向け可能な仕方で環状構造体に固定的に連結されたユーザ用のヘッドレスト要素を有する。
【０００９】
このように、環状構造体を伸ばしたり引っ込めたりする手動切換え装置に作用することによっても、支持要素は、アジャスタの全ての形態において頭に最適な仕方で適合するよう自由に傾くことができる。
【００１０】
本発明の別の特徴は、従属形式の請求項に強調した仕方で記載されている。
【００１１】
本発明のサイクリング用ヘルメットのためのサイズアジャスタの特性及び利点は、添付の図面を参照して例示として与えられる以下の説明から明らかになり、かかる説明は、本発明の目的を限定するものではない。
【図面の簡単な説明】
【００１２】
【図１】本発明のサイズアジャスタの内側から見た図である。
【図２】本発明のサイズアジャスタの外側から見た図である。
【図３】本発明の細部を示す図である。
【図４】本発明の細部を示す図である。
【図５】本発明の細部を示す図である。
【図６】本発明をユーザの異なるサイズにどのように適合させればよいかを示す図である。
【図７】本発明をユーザの異なるサイズにどのように適合させればよいかを示す図である。
【図８】本発明のサイズアジャスタの別の実施形態を示す図である。
【図９】本発明のサイズアジャスタの別の実施形態を示す図である。
【図１０】本発明のサイズアジャスタの別の実施形態を示す図である。
【図１１】本発明のサイズアジャスタの別の実施形態を示す図である。
【発明を実施するための形態】
【００１３】
図面を参照すると、本発明のサイクリング用ヘルメットのためのサイズアジャスタ（寸法調整装置）が参照符号１０で示されている。
【００１４】
サイクリング用ヘルメットのためのかかるサイズアジャスタは、サイクリング用ヘルメットの内側に固定的に連結できる形式のものであり、サイズアジャスタは、ヘルメットの下側周囲に沿って配置された環状構造体１１を有する。
【００１５】
サイズアジャスタは、ヘルメットをサイズの異なるユーザが着用できるよう最小直径形態と複数の増大直径形態との間で切換え可能である。
【００１６】
環状構造体１１は、実質的に円の状態に閉じられた構造体とＵの状態に開かれた構造体の両方を含む。
【００１７】
図中、サイズアジャスタは、一部分しか示されていない。というのは、図示されていない部分は、先行技術の部分と全体として同一だからである。
【００１８】
図示の切換え装置１２も又、公知且つ手動形式のものである。
【００１９】
具体的に説明すると、本発明のヘッドレスト要素１３は、少なくとも１本の軸線に沿って、好ましくは、環状構造体１１を通る軸線に対して自由に差し向け可能な仕方で環状構造体１１に固定的に連結されている。
【００２０】
環状構造体１１は、手動切換え装置１２に作用することによって中央部分１５に対して入れ子式に動くことができる２本サイドアーム１４を有している。
【００２１】
この場合、ヘッドレスト要素１３は、サイドアーム１４に固定的に連結されている。
【００２２】
変形例として、図１１に示されているように、ヘッドレスト要素１３は、中央部分１５に直接関連していてもよい。
【００２３】
この場合、ヘッドレスト要素１３は、手動切換え装置１２から互いに異なる距離のところの複数の位置で固定的に連結可能であるように中央部分１５の互いに反対側の部分に沿って動くことができる。
【００２４】
好ましい実施形態によれば、ヘッドレスト要素１３は、球形支持体１６を介してアーム１４に固定的に連結された状態で空間中のあらゆる軸線に沿って差し向け可能である。
【００２５】
図示の実施形態によれば、ヘッドレスト要素１３は、サイドアーム１４に関して互いに反対側に配置された２つのローブを有する蝶のような形をしている。
【００２６】
具体的に説明すると、ヘッドレスト要素１３の中央部分１８、即ち、サイドアーム１４のところに配置された部分は、ゴムで作られており、サイドアーム１４を通る軸線回りの撓みを容易にするよう凹み受け座を有している。
【００２７】
図８〜図１０に示された実施形態によれば、ヘッドレスト要素１３は、軸線、特にアーム１４の軸線に沿ってだけ差し向けられるよう構成されているのがよい。
【００２８】
かかる結合部を作るため、円筒形ピン１８′がヘッドレスト要素１３に形成された状態で設けられ、対応の円筒形受け座１６′が環状構造体１１に形成されている。
【００２９】
具体的に説明すると、円筒形ピン１８′と受け座１６′は、互いにスナップ嵌合するよう形作られている。
【００３０】
ヘッドレスト要素１３の周辺部分１９、即ち、サイドアーム１４から見て遠くに位置する部分は、快適な支持具合を提供するようゲルインサート２０を有している。かかる支持体は、図６及び図７に概略的に示されている。好ましくは、ヘッドレスト要素１３は、交換可能である。かくして、本発明のサイクリング用ヘルメットのためのサイズアジャスタは、上述した本発明の目的を達成することが理解される。
【００３１】
確かに、本発明のサイクリング用ヘルメットのためのサイズアジャスタは、公知のサイズアジャスタの代替手段を提供すると共にサイズが変更した場合であってもユーザに快適な支持具合を提供する。
【００３２】
このように構成された本発明のサイクリング用ヘルメットのためのサイズアジャスタに対して種々の変更及び変形が可能であり、これら改造及び変形の全ては、本発明の概念に含まれ、更に、細部の全ては、技術的に均等な要素で置き換え可能である。実際には、用いられる材料並びにこれらのサイズは、技術的要件に応じてどのようなものであってもよい。
【符号の説明】
【００３３】
１０  サイズアジャスタ
１１  環状構造体
１２  手動切換え装置
１３  ヘッドレスト要素
１４  サイドアーム
１５  中央部分
１６  球形支持体
１６  円筒形着座部
１７  ローブ
１８′  円筒形ピン
１９  周辺部分
２０  ゲルインサート
【図１】
2015021217.tif 000003
【図２】
2015021217.tif 000004
【図３】
2015021217.tif 000005
【図４】
2015021217.tif 000006
【図５】
2015021217.tif 000007
【図６】
2015021217.tif 000008
【図７】
2015021217.tif 000009
【図８】
2015021217.tif 000010
【図９】
2015021217.tif 000011
【図１０】
2015021217.tif 000012
【図１１】
2015021217.tif 000013
【外国語明細書】
2015021217000001.pdf